(57)【要約】【課題】天井取り付け専用型検知器を壁面に取り付けるためには、天井・壁面兼用取り付け具を用いなければならず、その器具の分だけコストがかかる、取り付けの作業量が増える、形状が大きくなるなどの問題があった。【解決手段】検知器取り付け面に、その外周部に設けたヒンジを介して開閉する板状の取り付けベースを備え、取り付けベースには、施工用のネジ穴を設けた。取り付けベースと検知器取り付け面との間には、取り付けベースを閉じた状態、取り付けベースを開いた状態のどちらの状態においても固定することのできる、固定機構を設けた。【選択図】図３
2005100233.tif 000002
【特許請求の範囲】
【請求項１】
屋内の天井や壁面に固定して用いる検知器であって、検知器取り付け面には、その外周部に設けたヒンジを介して開閉する板状の取り付けベースを備え、前記取り付けベースには、施工用のネジ穴を設けるとともに、前記取り付けベースと検知器取り付け面との間には、取り付けベースを閉じた状態、取り付けベースを開いた状態のどちらの状態においても固定することのできる、固定機構を設けたことを特徴とする天井取り付け壁面取り付け兼用型検知器。
【発明の詳細な説明】
【技術分野】
【０００１】
本発明は、ホームセキュリティシステムの侵入者検知器や、火災検知器に関するものであり、特に、電池にて駆動され、外部機器との間の配線を要しない検知器の取り付け機構に関するものである。
【背景技術】
【０００２】
ホームセキュリティシステムは、システムの中心となるコントローラと、各種検知器とで構成されており、検知信号の伝送には、電波を用いたワイヤレス方式が採用されている。検知器は、電池を内蔵しており、しかも小型化が要求されているので、天井取り付け型検知器、壁面取り付け型検知器として、それぞれ専用の形状のものが実用化されている。一般には、天井に取り付ける場合が多いため、天井に固定して用いることを前提とした検知器が多い。例えば、物体が放射する赤外線エネルギーを検出して侵入者を検知する受動型赤外線検知器（いわゆるパッシブセンサ）は、円盤状のベース部分と、ドーム型をした本体とで構成され、その取り付け方法は、先に、天井にベース部分をネジ止めにより固定し、そのベース部分に、あとから本体を固定する形態となっている。このような天井取り付け専用型検知器は、天井が非常に高い室内などにおいては、壁面に取り付けて使用することになるが、そのまま壁面に取り付けると、検知ゾーンの方向（赤外線エネルギーを検出することの可能な方向）を適切に設定することができない。このような状態をさけるため、ベース部分が上面となる姿勢を維持させながら壁面に固定することになる。このような取付を実現させる器具として、天井・壁面兼用取り付け具（例えば、特許文献１参照。）が存在する。
【特許文献１】実用新案登録第２６０５０２６号公報
【発明の開示】
【発明が解決しようとする課題】
【０００３】
天井取り付け専用型検知器を壁面に取り付けるためには、天井・壁面兼用取り付け具を用いなければならず、その器具の分だけコストがかかる。また、天井・壁面兼用取り付け具を、天井取り付け専用型検知器と壁面との間に介在させて取り付けることになり、その分の作業量も増える。天井・壁面兼用取り付け具は、各種の天井取り付け型検知器、壁面取り付け型検知器に幅広く対応させてあるため、形状が大きくなっており、設置後の外見において問題があった。
【課題を解決するための手段】
【０００４】
検知器取り付け面に、その外周部に設けたヒンジを介して開閉する板状の取り付けベースを備え、取り付けベースには、施工用のネジ穴を設けた。取り付けベースと検知器取り付け面との間には、取り付けベースを閉じた状態、取り付けベースを開いた状態のどちらの状態においても固定することのできる、固定機構を設けた。
【発明の効果】
【０００５】
天井に取り付けるときも、壁面に取り付けるときも、本体に一体化された取り付けベースを用いて固定することができ、取り付け場所に合わせて、天井・壁面兼用取り付け具を用意する必要性がなくなる。取り付けベースを、天井あるいは壁面にネジ止めし、その検知器の基本的な取り付け姿勢に合わせて、取り付けベースを閉じた状態、あるいは取り付けベースを開いた状態のどちらかの状態にして固定するだけで済むので、取り付け作業が簡略化される。壁面に固定した状態では、取り付けベースが露出することになるが、検知器は人間の身長よりも高いところに取り付けられるので、取り付けベースの大部分は検知器本体に隠れる形となり、外見上の違和感はなくなる。
【発明を実施するための最良の形態】
【０００６】
図１は、本発明の検知器の側面図であり、天井面に取り付ける直前の状態を示した図である。検知器の本体１と、取り付けベース２は、ヒンジ３で結合されており、取り付けベース２は、本体１からヒンジ３の回転軸を中心として分離した（開いた）状態である。天井面にこの検知器を取り付ける際には、図に示すように本体１をぶら下げた状態にし、取り付けベース２を天井面に固定する。取り付けベース２には、施工用のネジ穴５が設けられており、取り付けネジ４をこのネジ穴に通して固定する。
【０００７】
図２は、取り付けベース２を天井面に固定し、本体１を、取り付けベース２に固定した状態を示した図である。取り付けベース２を天井面に固定した後、本体１をヒンジ３の回転軸を中心として回転させ結合させた（閉じた）状態である。本体１が取り付けベース２から離れて、落下しないように、本体と取り付けベースの間には、固定機構（図示省略）が設けてられている。Ｚは、この検知器の検知範囲を示しており、立体警戒型のパッシブセンサの場合には、扇状に左右９０度、上下５０度前後の広がりをもったものとなっている。
【０００８】
図３は、本発明の検知器を壁面に取り付けるときの状態を示す説明図である。図３（ａ）は、壁面に取り付ける直前の状態を示した側面図であり、図３（ｂ）は、正面図である。取り付けベース２は、本体１からヒンジ３の回転軸を中心として開いた状態である。壁面にこの検知器を取り付ける際には、図に示すように、本体のドーム面が下方を向いた状態を保ちながら、取り付けベース２を壁面に固定する。取り付けベース２の施工用のネジ穴５に、取り付けネジ４を通して固定する。取り付けベース２を壁面に固定した後、本体１が、壁面から伝わる振動などにより揺れないように、本体と取り付けベースの間の固定機構によりロックする。この固定機構は、回転止め用スライドボス６を、図３（ｂ）に示す解放側（右側）から、固定側（左側）へスライドさせることにより作動する。回転止め用スライドボス６が固定側の位置にあるときは、本体１の上面が、この回転止め用スライドボス６に接触し、本体１の上方への回転が阻止され、回転止め用スライドボス６が解放側の位置にあるときは、本体１の上面に設けたボスの逃がし溝７に、この回転止め用スライドボス６が入り込み、取り付けベース２が閉じられるのである。
【０００９】
検知器の検知範囲Ｚは、壁面に取り付けたときも、天井面に取り付けたときと同じ方向を向くようになる。このように、本発明の技術を採用することにより、天井取り付け型検知器、壁面取り付け型検知器といった取り付け位置の限定がなくなる。壁面に固定した状態では、取り付けベースが検知器本体から開かれた状態になるが、検知器は、高いところに取り付けられるので、取り付けベースの大部分は検知器本体に隠れる形となり、あまり目立つことはない。検知器取り付け面と、取り付けベースとの間の開き角を、任意の大きさのところで固定可能とすれば、傾斜した壁や天井にも取り付けることができる。検知範囲Ｚを水平方向に回転させることのできる機構を内蔵すれば、さらに取り付け位置の制約がなくなり扱いやすくなる。
【図面の簡単な説明】
【００１０】
【図１】本発明の検知器の側面図であり、天井面に取り付ける直前の状態を示した図である。
【図２】取り付けベース２を天井面に固定し、本体１を、取り付けベース２に固定した状態を示した図である。
【図３】本発明の検知器を壁面に取り付けるときの状態を示す説明図である。
【符号の説明】
【００１１】
１・・・検知器の本体
２・・・取り付けベース
３・・・ヒンジ
４・・・取り付けネジ
５・・・ネジ穴
６・・・回転止め用スライドボス
７・・・ボスの逃し溝
Ｚ・・・検知器の検知範囲
【図１】
2005100233.tif 000003
【図２】
2005100233.tif 000004
【図３】
2005100233.tif 000005